(57)【特許請求の範囲】
【請求項１】
情報を記憶する情報記憶手段を備えており、その情報記憶手段に記憶された情報を、その情報の送信を要求する要求側へ送信する通信装置において、
不特定の前記要求側からの発呼により、回線を閉結し、前記情報の転送要求を示す転送要求信号および前記要求側のＦＡＸ番号を検出する検出手段と、
この検出手段によって前記転送要求信号および前記要求側のＦＡＸ番号が検出された場合に、通信遮断手段によって前記要求側との通信が遮断された後に、前記検出手段によって検出された前記要求側のＦＡＸ番号に基づいて、その要求側のＦＡＸ番号によって特定される要求側を発呼し、前記要求側へ前記情報記憶手段に記憶されている情報を前記要求側へ送信する送信手段と、
が備えられたことを特徴とする通信装置。
【請求項２】
前記要求側のＦＡＸ番号を記憶する要求側ＦＡＸ番号記憶手段と、
前記検出手段によって検出された要求側のＦＡＸ番号に対応する要求側ＦＡＸ番号が前記要求側ＦＡＸ番号記憶手段に記憶されているか否かを判定する判定手段と、が備えられており、
前記送信手段は、
前記判定手段により、前記検出手段によって検出された要求側のＦＡＸ番号に対応する要求側ＦＡＸ番号が前記要求側ＦＡＸ番号記憶手段に記憶されていると判定された場合は、通信遮断手段によって前記要求側との通信が遮断された後に、前記検出手段によって検出された要求側のＦＡＸ番号に基づいて、その要求側のＦＡＸ番号によって特定される要求側を発呼し、その発呼した要求側へ前記情報記憶手段に記憶されている情報を送信し、前記検出手段によって検出された要求側のＦＡＸ番号に対応する要求側ＦＡＸ番号が前記要求側ＦＡＸ番号記憶手段に記憶されていないと判定された場合は、前記情報の送信を行わないことを特徴とする請求項１に記載の通信装置。
【請求項３】
前記要求側から前記転送要求信号を受信した場合に、その転送要求信号に応じて送信すべき情報の情報量が、所定の情報量を超えているか否かを判定する情報量判定手段が備えられており、
前記送信手段は、
前記情報量判定手段により、前記転送要求信号に応じて送信すべき情報の情報量が所定の情報量を超えていないと判定された場合は、通信遮断手段によって前記要求側との通信が遮断された後に、前記検出手段によって検出された要求側のＦＡＸ番号に基づいて発呼し、その要求側のＦＡＸ番号によって特定される要求側へ、前記情報記憶手段に記憶されている情報を送信し、前記転送要求信号に応じて送信すべき情報の情報量が所定の情報量を超えていると判定された場合は、前記情報の送信を行わないことを特徴とする請求項１に記載の通信装置。
【請求項４】
前記要求側のＦＡＸ番号を記憶する要求側ＦＡＸ番号記憶手段と、
前記検出手段によって検出された要求側のＦＡＸ番号に対応する要求側ＦＡＸ番号が前記要求側ＦＡＸ番号記憶手段に記憶されているか否かを判定する判定手段と、
前記要求側から前記転送要求信号を受信した場合に、その転送要求信号に応じて送信すべき情報の情報量が、所定の情報量を超えているか否かを判定する情報量判定手段と、が備えられており、
前記送信手段は、
前記判定手段により、前記検出手段によって検出された要求側のＦＡＸ番号に対応する要求側ＦＡＸ番号が前記要求側ＦＡＸ番号記憶手段に記憶されていると判定され、かつ、前記情報量判定手段により、前記転送要求信号に応じて送信すべき情報の情報量が所定の情報量を超えていないと判定された場合は、通信遮断手段によって前記要求側との通信が遮断された後に、前記検出手段によって検出された要求側のＦＡＸ番号に基づいて、その要求側のＦＡＸ番号によって特定される要求側を発呼し、その発呼した要求側へ前記情報記憶手段に記憶されている情報を送信し、前記検出手段によって検出された要求側のＦＡＸ番号に対応する要求側のＦＡＸ番号が前記要求側ＦＡＸ番号記憶手段に記憶されていないと判定した場合、あるいは、前記情報量判定手段により、前記転送要求信号に応じて送信すべき情報の情報量が所定の情報量を超えていると判定した場合は、前記情報の送信を行わないことを特徴とする請求項１に記載の通信装置。
【請求項５】
前記検出手段によって検出された要求側のＦＡＸ番号を表示する要求側ＦＡＸ番号表示手段が備えられたことを特徴とする請求項１ないし請求項４のいずれか１つに記載の通信装置。
【請求項６】
情報を記憶する情報記憶手段を備えており、その情報記憶手段に記憶された情報を、その情報の送信を要求する要求側へ送信する通信装置を制御するためのコンピュータプログラムが格納された記憶媒体において、
不特定の前記要求側からの発呼により、回線を閉結し、前記情報の転送要求を示す転送要求信号および要求側のＦＡＸ番号を検出するための検出プログラムと、
この検出プログラムによって前記転送要求信号および前記要求側のＦＡＸ番号が検出された場合に、通信遮断プログラムによって前記要求側との通信が遮断された後に、前記検出プログラムによって検出された要求側のＦＡＸ番号に基づいて、その要求側のＦＡＸ番号によって特定される要求側を発呼し、その特定される要求側へ前記情報記憶手段に記憶されている情報を送信するための送信プログラムと、を含むコンピュータプログラムが格納されたことを特徴とする記憶媒体。
【請求項７】
前記要求側へ送信する情報は、画像情報であることを特徴とする請求項１ないし請求項５のいずれか１つに記載の通信装置、または、請求項６に記載の記憶媒体。
【発明の詳細な説明】
【０００１】
【発明の属する技術分野】
本発明は、ファクシミリ装置に代表される通信装置およびその通信装置を制御するためのコンピュータプログラムが記憶された記憶媒体であって、情報の転送を行う機能を有するものに関する。
【０００２】
【従来の技術】
従来、上記通信装置として、たとえば、外出先のファクシミリ装置からファクシミリデータの転送要求があった場合に、蓄積されているファクシミリデータを上記外出先のファクシミリ装置へ転送する機能を有するファクシミリ装置が知られている。
【０００３】
【発明が解決しようとする課題】
しかし、上記従来のファクシミリ装置では、外出先のファクシミリ装置のＦＡＸ番号を登録しておかなければ、ファクシミリデータを外出先のファクシミリ装置へ転送できないという問題がある。
特に、外出先が特定されていない場合は、予め外出先のＦＡＸ番号を登録しておくことができないため、ファクシミリデータを外出先のファクシミリ装置へ転送できないという問題がある。
【０００４】
そこで、本発明は、要求側（外出先のファクシミリ装置）から情報の送信要求があった場合に、その要求側を特定する要求側特定情報（外出先ＦＡＸ番号）が登録されてなくても、上記情報を上記要求側へ送信することができる通信装置および記憶媒体を実現することを目的とする。
【０００５】
【課題を解決するための手段】
本発明は、上記目的を達成するため、請求項１に記載の発明では、情報を記憶する情報記憶手段を備えており、その情報記憶手段に記憶された情報を、その情報の送信を要求する要求側へ送信する通信装置において、不特定の前記要求側からの発呼により、回線を閉結し、前記情報の転送要求を示す転送要求信号および前記要求側のＦＡＸ番号を検出する検出手段と、この検出手段によって前記転送要求信号および前記要求側のＦＡＸ番号が検出された場合に、通信遮断手段によって前記要求側との通信が遮断された後に、前記検出手段によって検出された前記要求側のＦＡＸ番号に基づいて、その要求側のＦＡＸ番号によって特定される要求側を発呼し、前記要求側へ前記情報記憶手段に記憶されている情報を前記要求側へ送信する送信手段と、が備えられたという技術的手段を採用する。
【０００６】
請求項２に記載の発明では、請求項１に記載の通信装置において、前記要求側のＦＡＸ番号を記憶する要求側ＦＡＸ番号記憶手段と、前記検出手段によって検出された要求側のＦＡＸ番号に対応する要求側ＦＡＸ番号が前記要求側ＦＡＸ番号記憶手段に記憶されているか否かを判定する判定手段と、が備えられており、前記送信手段は、前記判定手段により、前記検出手段によって検出された要求側のＦＡＸ番号に対応する要求側ＦＡＸ番号が前記要求側ＦＡＸ番号記憶手段に記憶されていると判定された場合は、通信遮断手段によって前記要求側との通信が遮断された後に、前記検出手段によって検出された要求側のＦＡＸ番号に基づいて、その要求側のＦＡＸ番号によって特定される要求側を発呼し、その発呼した要求側へ前記情報記憶手段に記憶されている情報を送信し、前記検出手段によって検出された要求側のＦＡＸ番号に対応する要求側ＦＡＸ番号が前記要求側ＦＡＸ番号記憶手段に記憶されていないと判定された場合は、前記情報の送信を行わないという技術的手段を採用する。
【０００７】
請求項３に記載の発明では、請求項１に記載の通信装置において、前記要求側から前記転送要求信号を受信した場合に、その転送要求信号に応じて送信すべき情報の情報量が、所定の情報量を超えているか否かを判定する情報量判定手段が備えられており、前記送信手段は、前記情報量判定手段により、前記転送要求信号に応じて送信すべき情報の情報量が所定の情報量を超えていないと判定された場合は、通信遮断手段によって前記要求側との通信が遮断された後に、前記検出手段によって検出された要求側のＦＡＸ番号に基づいて発呼し、その要求側のＦＡＸ番号によって特定される要求側へ、前記情報記憶手段に記憶されている情報を送信し、前記転送要求信号に応じて送信すべき情報の情報量が所定の情報量を超えていると判定された場合は、前記情報の送信を行わないという技術的手段を採用する。
【０００８】
請求項４に記載の発明では、請求項１に記載の通信装置において、前記要求側のＦＡＸ番号を記憶する要求側ＦＡＸ番号記憶手段と、前記検出手段によって検出された要求側のＦＡＸ番号に対応する要求側ＦＡＸ番号が前記要求側ＦＡＸ番号記憶手段に記憶されているか否かを判定する判定手段と、前記要求側から前記転送要求信号を受信した場合に、その転送要求信号に応じて送信すべき情報の情報量が、所定の情報量を超えているか否かを判定する情報量判定手段と、が備えられており、前記送信手段は、前記判定手段により、前記検出手段によって検出された要求側のＦＡＸ番号に対応する要求側ＦＡＸ番号が前記要求側ＦＡＸ番号記憶手段に記憶されていると判定され、かつ、前記情報量判定手段により、前記転送要求信号に応じて送信すべき情報の情報量が所定の情報量を超えていないと判定された場合は、通信遮断手段によって前記要求側との通信が遮断された後に、前記検出手段によって検出された要求側のＦＡＸ番号に基づいて、その要求側のＦＡＸ番号によって特定される要求側を発呼し、その発呼した要求側へ前記情報記憶手段に記憶されている情報を送信し、前記検出手段によって検出された要求側のＦＡＸ番号に対応する要求側のＦＡＸ番号が前記要求側ＦＡＸ番号記憶手段に記憶されていないと判定した場合、あるいは、前記情報量判定手段により、前記転送要求信号に応じて送信すべき情報の情報量が所定の情報量を超えていると判定した場合は、前記情報の送信を行わないという技術的手段を採用する。
【０００９】
請求項５に記載の発明では、請求項１ないし請求項４のいずれか１つに記載の通信装置において、前記検出手段によって検出された要求側のＦＡＸ番号を表示する要求側ＦＡＸ番号表示手段が備えられたという技術的手段を採用する。
【００１０】
請求項６に記載の発明では、情報を記憶する情報記憶手段を備えており、その情報記憶手段に記憶された情報を、その情報の送信を要求する要求側へ送信する通信装置を制御するためのコンピュータプログラムが格納された記憶媒体において、不特定の前記要求側からの発呼により、回線を閉結し、前記情報の転送要求を示す転送要求信号および要求側のＦＡＸ番号を検出するための検出プログラムと、この検出プログラムによって前記転送要求信号および前記要求側のＦＡＸ番号が検出された場合に、通信遮断プログラムによって前記要求側との通信が遮断された後に、前記検出プログラムによって検出された要求側のＦＡＸ番号に基づいて、その要求側のＦＡＸ番号によって特定される要求側を発呼し、その特定される要求側へ前記情報記憶手段に記憶されている情報を送信するための送信プログラムと、を含むコンピュータプログラムが格納されたという技術的手段を採用する。
【００１１】
請求項７に記載の発明では、請求項１ないし請求項５のいずれか１つに記載の通信装置、または、請求項６に記載の記憶媒体において、前記要求側へ送信する情報は、画像情報であるという技術的手段を採用する。
【００１２】
【作用】
請求項１ないし請求項６に記載の発明では、上記検出手段は、情報記憶手段に記憶された情報の送信を要求する不特定の要求側からの発呼により、回線を閉結し、その要求側から送信された、情報の転送要求を示す転送要求信号および要求側のＦＡＸ番号を検出し、上記送信手段は、上記検出手段によって転送要求信号および要求側のＦＡＸ番号が検出された場合に、通信遮断手段によって要求側との通信が遮断された後に、検出手段によって検出された要求側のＦＡＸ番号に基づいて、その要求側のＦＡＸ番号によって特定される要求側を発呼し、上記要求側へ上記情報記憶手段に記憶されている情報を送信する。
つまり、不特定の要求側から情報の転送要求があった場合、その要求側から送信された要求側のＦＡＸ番号を検出し、その検出された要求側のＦＡＸ番号に基づいて情報を上記要求側へ送信できる。
したがって、従来のように、外出先（要求側）のＦＡＸ番号を自宅のファクシミリ装置（通信装置）に登録しておく必要がないし、外出先が不特定の場合であっても、その外出先のファクシミリ装置に自局のＦＡＸ番号を送信する機能が備わっていれば、自宅のファクシミリ装置に記憶されているファクシミリデータを外出先のファクシミリ装置へ転送させることができる。
しかも、要求側との通信が遮断された後に要求側を発呼して情報の送信を行うことができるため、要求側に通信費がかかることがない。
たとえば、後述する発明の実施の形態に記載するように、外出先から自宅のファクシミリ装置へファクシミリデータの転送要求を行った場合に、自宅のファクシミリ装置から外出先のファクシミリ装置を発呼してファクシミリデータを転送させることができるため、外出先に通信費がかかって迷惑を掛けることがない。
【００１３】
特に、請求項２に記載の発明では、上記要求側ＦＡＸ番号記憶手段は、要求側ＦＡＸ番号を記憶し、上記判定手段は、上記検出手段によって検出された要求側のＦＡＸ番号に対応する要求側ＦＡＸ番号が上記要求側ＦＡＸ番号記憶手段に記憶されているか否かを判定する。そして、上記送信手段は、上記判定手段により、上記検出手段によって検出された要求のＦＡＸ番号に対応する要求側ＦＡＸ番号が上記要求側ＦＡＸ番号記憶手段に記憶されていると判定された場合は、通信遮断手段によって上記要求側との通信が遮断された後に、上記検出手段によって検出された要求側のＦＡＸ番号に基づいて、その要求側のＦＡＸ番号によって特定される要求側を発呼し、その発呼した要求側へ上記情報記憶手段に記憶されている情報を送信し、検出手段によって検出された要求側のＦＡＸ番号に対応する要求側ＦＡＸ番号が要求側ＦＡＸ番号記憶手段に記憶されていないと判定された場合は、情報の送信を行わない。
つまり、情報の送信要求のあった場合は、その送信要求を行った要求側から送信された要求側のＦＡＸ番号が、要求側ＦＡＸ番号記憶手段に記憶されているものである場合に限って情報を要求側へ送信し、要求側のＦＡＸ番号が要求側ＦＡＸ番号記憶手段に記憶されていない場合は情報の送信を行わないため、不特定のものから送信要求のあった場合に情報を送信してしまうという事態をなくすことができる。
【００１４】
また、請求項３に記載の発明では、上記情報量判定手段は、要求側から転送要求信号を受信した場合に、その転送要求信号に応じて転送すべき情報の情報量が、所定の情報量を超えているか否かを判定する。そして、上記送信手段は、上記情報量判定手段により、上記転送要求信号に応じて転送すべき情報の情報量が所定の情報量を超えていないと判定された場合は、通信遮断手段によって要求側との通信が遮断された後に、上記検出手段によって検出された要求側のＦＡＸ番号に基づいて発呼し、その要求側のＦＡＸ番号によって特定される要求側へ、上記情報記憶手段に記憶されている情報を送信し、転送要求信号に応じて送信すべき情報の情報量が所定の情報量を超えていると判定された場合は、情報の送信を行わない。
つまり、情報量が多くて通信時間が長くなるような場合は、通信コストなどの問題から、情報の転送要求を行いたくない場合があるが、従来の通信装置では、情報の要求側は、情報を受信する前に情報量を知ることができないという問題があった。
しかし、上記請求項３に記載の発明では、情報を送信する側で情報量を判定し、情報量が所定の情報量を超えていない場合に情報を要求側へ送信し、情報量が所定の情報量を超えていると判定された場合は、情報の送信を行わないようにすることができるため、要求側において情報の受信を開始してしまってから、情報量の多さに気付いたり、通信時間が長くなって通信費が高くなってしまうという問題を解決することができる。
【００１５】
さらに、請求項４に記載の発明では、請求項２に記載の判定手段および請求項３に記載の情報量判定手段を備えており、上記送信手段は、判定手段によって、要求側から送信されてきた要求側のＦＡＸ番号が、要求側ＦＡＸ番号記憶手段に記憶されており、かつ、要求側に送信すべき情報の情報量が所定の情報量を超えていない場合に限って、情報を要求側へ送信し、要求側のＦＡＸ番号が要求側ＦＡＸ番号記憶手段に記憶されていない場合、あるいは、要求側に送信すべき情報の情報量が所定の情報量を超えている場合は、情報の送信を行わない。
したがって、情報を不特定のものに送信してしまう事態をなくすことができるとともに、送信する情報量が多いことにより、通信費が高くなってしまうなどの問題を解決することができる。
【００１６】
また、請求項５に記載の発明では、上記要求側ＦＡＸ番号表示手段は、上記検出手段によって検出された要求側のＦＡＸ番号を表示する。
つまり、要求側ＦＡＸ番号表示手段によって表示された要求側のＦＡＸ番号を見ることにより、どの要求側から情報の送信要求があったかを知ることができる。
【００１７】
そして、請求項６に記載の発明では、不特定の要求側の発呼により、回線を閉結し、その要求側から送信された、情報の転送要求を示す転送要求信号および要求側のＦＡＸ番号を検出するための検出プログラムと、この検出プログラムによって転送要求信号および要求側のＦＡＸ番号が検出された場合に、通信遮断プログラムによって要求側との通信が遮断された後に、検出プログラムによって検出された要求側のＦＡＸ番号に基づいて、その要求側のＦＡＸ番号によって特定される要求側を発呼し、その特定される要求側へ記憶手段に記憶されている情報を送信するための送信プログラムと、を含むコンピュータプログラムが格納された記憶媒体という構成であるため、その記憶媒体を用いることにより、上記請求項１に記載の通信装置を実現できる。
つまり、上記通信装置は、たとえば、後述する発明の実施の形態に記載するように、通信装置に内蔵されたＣＰＵ、あるいは、通信装置に接続されたコンピュータによって制御されることから、上記記憶媒体としてのＲＯＭを設け、もしくは、上記記憶媒体に格納されているコンピュータプログラムをコンピュータにインストールすることによって、請求項１に記載の発明を実施できるからである。
【００１８】
また、請求項１ないし請求項６に記載の技術的手段は、請求項７に記載の発明のように、上記要求側へ送信する情報が画像情報である場合に好適に採用される。
つまり、画像情報は、音声情報などと比較して情報量が多いため、その送信に要する時間が長いことから、通信費が高くなるという問題があり、そのために転送先から発呼して回線を接続した場合は、転送先に高い通信費がかかるという問題が生じるが、上記各技術的手段を用いることにより、通信費を情報を転送する側の負担とすることができる。
【００１９】
【発明の実施の形態】
以下、本発明の通信装置の第１実施形態について図を参照して説明する。
図１は、本第１実施形態の通信装置の主な制御系をブロックで示す説明図である。
なお、以下の各実施形態では、本発明の通信装置としてファクシミリ装置を代表に説明する。
【００２０】
ファクシミリ装置１には、外出先ファクシミリ装置６１からの転送要求に応えて画像情報の転送などを行うファクシミリ通信の制御、イメージスキャナ４５が原稿の画像情報を読取る場合の読取制御、記録ヘッド２０が記録用紙へ記録を行う場合の記録制御、このファクシミリ装置１に接続されたＰＣ（Ｐｅｒｓｏｎａｌ  Ｃｏｍｐｕｔｅｒ）６４との間で行うデータの入出力制御などを行うＣＰＵ４０が備えられている。
さらに、ファクシミリ装置１には、画像情報の送受信を行う通信用モデム６０と、この通信用モデム６０によって受信された画像情報、あるいは、ＰＣ６４から出力され、インターフェース４１を介して入力された記録データを展開するゲートアレイ４２とが備えられている。
【００２１】
ＣＰＵ４０とゲートアレイ４２とを接続するアドレスバスおよびデータバスには、ＣＰＵ４０が前述の各種制御を実行するための制御プログラムなどが記憶されているＲＯＭ４３と、ＣＰＵ４０の制御プログラム実行時にＲＯＭ４３から読出した制御プログラムなどを一時的に記憶したりするＲＡＭ４４とが接続されており、ＣＰＵ４０は、ＲＯＭ４３およびＲＡＭ４４との間で必要なデータの入出力を行う。また、ＲＡＭ４４には、他のファクシミリ装置から送信された画像情報を記憶する第１の記憶領域４４ａと、転送先のファクシミリ装置のＦＡＸ番号を記憶する第２の記憶領域４４ｂとを有する。さらに、ＲＡＭ４４は、外出先ファクシミリ装置６１から送信された外出先ＦＡＸ番号を記憶する。
【００２２】
また、ゲートアレイ４２には、受信した各データをイメージデータとして一時的に記憶するイメージメモリ５４と、記録ヘッド２０が搭載されたキャリッジ（図示省略）の移動速度を計測し、記録タイミングを決定するエンコーダセンサ５９とが接続されている。さらに、ゲートアレイ４２は、キャリッジの移動にともない、エンコーダセンサ５９から出力された信号に基づいて記録クロック５７を生成する。さらに、ゲートアレイ４２には、ヘッドドライバＩＣ５８が接続されており、このヘッドドライバＩＣ５８は、ゲートアレイ４２から出力された記録データ５５、転送クロック５６および記録クロック５７に基づいて動作し、記録ヘッド２０を駆動する。
【００２３】
また、ＣＰＵ４０には、記録用紙の有無を検出する記録用紙センサ２１と、原稿がイメージスキャナ４５の読取部分にあることを検出する原稿センサ５１と、キャリッジがホームポジションにあることを検出するキャリッジ原点センサ５２と、キャリッジモータ１４を駆動するための第１のモータドライバ５０と、プラテンローラ（図示省略）を回転させるラインフィードモータ４７を駆動するための第２のモータドライバ４６と、イメージスキャナモータ４８を駆動するための第３のモータドライバ４９と、各種の信号をＣＰＵ４０に与える操作パネル３と、液晶表示装置（ＬＣＤ）７とが接続されている。
【００２４】
ここで、液晶表示装置７の構成について、それを示す図２を参照して説明する。
液晶表示装置７には、液晶表示部７１と、外出先ＦＡＸ番号を受信した際に点灯するＬＥＤ７２と、ＲＡＭ４４に記憶された外出先ＦＡＸ番号を消去するために押す消去ボタン７３と、ＲＡＭ４４に記憶されている外出先ＦＡＸ番号を読出すために押す読出ボタン７４とが備えられている。
液晶表示部７１は、ＲＡＭ４４に記憶されている外出先ＦＡＸ番号７６と、その外出先ＦＡＸ番号のＲＡＭ４４における登録順序を示す登録番号７５とを表示する。
ところで、ＲＡＭ４４の第１の記憶領域４４ａが、本発明の情報記憶手段に対応し、第２の記憶領域４４ｂが、要求側ＦＡＸ番号記憶手段に対応する。
【００２５】
次に、本発明の特徴である、外出先ファクシミリ装置６１からファクシミリ装置１に蓄積されている画像情報の転送要求があった場合に、ファクシミリ装置１に内蔵されたＣＰＵ４０によって実行される転送制御の内容について図３および図４を参照して説明する。
図３は、画像情報を転送する側である本ファクシミリ装置１と、転送先である外出先ファクシミリ装置６１との間で行われる通信手順を示す説明図である。図４は、ファクシミリ装置１に内蔵されたＣＰＵ４０によって実行される転送制御および外出先ファクシミリ装置６１によって実行される転送要求制御の内容を示すフローチャートである。
なお、以下の実施形態では、ファクシミリ装置１には、すでに他のファクシミリ装置から受信した画像情報がＲＡＭ４４の第１の記憶領域４４ａに記憶されているものとする。また、ファクシミリ装置１の使用者は、外出先にいるものとする。
【００２６】
まず、外出先ファクシミリ装置６１を操作する者が、ファクシミリ装置１を発呼すると（ステップ１０）、ファクシミリ装置１は、発呼を検出し（ステップ３０：Ｙｅｓ）、回線を閉結する（ステップ３２）。続いて、外出先ファクシミリ装置６１は、回線の閉結を検出すると（ステップ１２：Ｙｅｓ）、画像情報の転送要求を示す転送要求信号と共に、外出先ＦＡＸ番号、つまり外出先ファクシミリ装置６１のＦＡＸ番号をファクシミリ装置１へ送出する（ステップ１４）。続いて、それら転送要求信号および外出先ＦＡＸ番号は、ファクシミリ装置１によって受信され（ステップ３４）、ファクシミリ装置１は、外出先ファクシミリ装置６１から情報の転送要求があったことを受付けるとともに、外出先ＦＡＸ番号をＲＡＭ４４に一時的に記憶する（ステップ３６）。
【００２７】
続いて、ファクシミリ装置１は、外出先ＦＡＸ番号を液晶表示装置７の液晶表示部７１に表示し（ステップ３８）、ファクシミリ装置１は、転送要求を受け付けたことを示す受付音、たとえば、「ピー」という音や「転送を受け付けました。」という音声を外出先ファクシミリ装置６１へ送出する（ステップ４４）。そして、その受付音は外出先ファクシミリ装置６１によって受信され（ステップ１６）、外出先ファクシミリ装置６１を操作する者は、その受付音を聞いて転送要求が設定されたことを確認することができる。
一方、ファクシミリ装置１は、回線を開放し（ステップ４６）、外出先ファクシミリ装置６１との通信を一旦中止し、所定時間待機する（ステップ４８）。
たとえば、上記所定時間は、通信用モデム６０を初期化して外出先ファクシミリ装置６１を発呼する準備や外出先ファクシミリ装置６１の受信準備などが完了する時間を考慮して、１分間である。
【００２８】
そして、ファクシミリ装置１は、ＲＡＭ４４に一時的に記憶されている外出先ＦＡＸ番号を読出し、その読出した外出先ＦＡＸ番号をダイヤルして発呼する（ステップ５０）。一方、外出先ファクシミリ装置６１は、発呼を検出すると（ステップ１８：Ｙｅｓ）、回線を閉結し（ステップ２０）、ファクシミリ装置１は、回線の閉結を検出すると（ステップ５２：Ｙｅｓ）、ＲＡＭ４４の第１の記憶領域４４ａに記憶されている画像情報を読出すとともに、外出先ファクシミリ装置６１へ転送する（ステップ５４）。この転送された画像情報を外出先ファクシミリ装置６１が受信し（ステップ２２）、外出先ファクシミリ装置６１は、その受信した画像情報を記録用紙に再生する。そして、ファクシミリ装置１は、画像情報の転送を終了すると（ステップ５６：Ｙｅｓ）、回線を開放する（ステップ５８）。
【００２９】
以上のように、本実施形態のファクシミリ装置１を用いれば、外出先ファクシミリ装置６１から送信される外出先ＦＡＸ番号を受信し、その受信した外出先ＦＡＸ番号に基づいて、外出先ファクシミリ装置６１を発呼して画像情報を転送することができるため、外出先ファクシミリ装置６１のＦＡＸ番号を登録しておく必要がない。
したがって、不特定の外出先からでも、その外出先のファクシミリ装置がＦＡＸ番号を送信する機能を備えておれば、画像情報の転送を行うことができる。
また、電話回線を遮断してから外出先ファクシミリ装置６１を発呼して画像情報を送信することができることから、画像情報の転送に要する通信費は、ファクシミリ装置１側にかかるため、外出先ファクシミリ装置６１側に通信費がかからないようにすることができる。
さらに、外出先ファクシミリ装置６１から転送要求があった際に、その外出先ＦＡＸ番号を液晶表示装置７によって表示することができるため、ファクシミリ装置１側のものは、誰から転送要求があるのかを知ることができる。
【００３０】
次に、本発明第２実施形態のファクシミリ装置について図５を参照して説明する。
本第２実施形態のファクシミリ装置は、特定の外出先ファクシミリ装置へのみ画像情報を送信できることを特徴とする。
図５は、本第２実施形態のファクシミリ装置に備えられたＣＰＵが実行する転送制御の一部を省略して示すフローチャートである。
なお、本第２実施形態のファクシミリ装置の構成は、図５に示す転送制御の一部を除いて前述の第１実施形態のファクシミリ装置１と同じであるため、同じ部分の説明を省略する。
【００３１】
ファクシミリ装置１は、ステップ３４（図４）で受信した外出先ＦＡＸ番号をＲＡＭ４４に記憶し、その外出先ＦＡＸ番号を液晶表示装置７の液晶表示部７１に表示すると（ステップ３８）、その表示した外出先ＦＡＸ番号と一致する転送先ＦＡＸ番号が、ＲＡＭ４４の第２の記憶領域４４ｂに登録されているか否かを判定する（ステップ４０）。
そして、ファクシミリ装置１は、表示された外出先ＦＡＸ番号と一致する転送先ＦＡＸがＲＡＭ４４の第２の記憶領域４４ｂに登録されていると判定した場合は（ステップ４０：Ｙｅｓ）、受付音を外出先ファクシミリ装置６１へ送出する（ステップ４４）。
また、ファクシミリ装置１は、表示された外出先ＦＡＸ番号と一致する転送先ＦＡＸがＲＡＭ４４の第２の記憶領域４４ｂに登録されていないと判定した場合は（ステップ４０：Ｎｏ）、回線の開放を行い、転送制御を終了する。
【００３２】
以上のように、第２実施形態のファクシミリ装置１を用いれば、外出先ファクシミリ装置６１から画像情報の転送要求のあった場合は、その外出先ファクシミリ装置６１から送信された外出先ＦＡＸ番号と一致するＦＡＸ番号がＲＡＭ４４に登録されている場合に限って画像情報を外出先ファクシミリ装置６１へ送信することができる。
したがって、不特定のものから送信要求のあった場合でも、画像情報を送信してしまうという事態をなくすことができる。
しかも、外出先ファクシミリ装置６１との通信が遮断された後に、外出先ファクシミリ装置６１を発呼して画像情報の送信を行うことができるため、外出先ファクシミリ装置６１に通信費がかかって外出先のものに迷惑をかけることがない。
【００３３】
次に、本発明第３実施形態のファクシミリ装置について図６を参照して説明する。
本第３実施形態のファクシミリ装置は、転送する情報量が所定の情報量を超えている場合は、画像情報を外出先ファクシミリ装置へ転送しないようにすることができることを特徴とする。
図６は、本第３実施形態のファクシミリ装置に備えられたＣＰＵが実行する転送制御の一部を省略して示すフローチャートである。
なお、本第３実施形態のファクシミリ装置の構成は、図６に示す転送制御の一部を除いて前述の第１実施形態のファクシミリ装置１と同じであるため、同じ部分の説明を省略する。
【００３４】
ファクシミリ装置１は、受信した外出先ＦＡＸ番号を液晶表示装置７の液晶表示部７１に表示すると（ステップ３８）、ＲＡＭ４４の第１の記憶領域４４ａに記憶されている画像情報、つまり、外出先ファクシミリ装置６１へ転送しようとしている画像情報を読出して、その画像情報の情報量Ｍが、予めＲＡＭ４４などに設定されている情報量Ｍ１を超えているか否かを判定する（ステップ４２）。
そして、ファクシミリ装置１は、ＲＡＭ４４に記憶されている情報の情報量Ｍが、情報量Ｍ１を超えていないと判定した場合は（ステップ４２：Ｎｏ）、受付音を外出先ファクシミリ装置６１へ送出する（ステップ４４）。
また、ファクシミリ装置１は、ＲＡＭ４４に記憶されている情報の情報量Ｍが、情報量Ｍ１を超えていると判定した場合は（ステップ４２：Ｙｅｓ）、回線の開放を行い、転送制御を終了する。
【００３５】
以上のように、第３実施形態のファクシミリ装置１を用いれば、外出先ファクシミリ装置６１から画像情報の転送要求のあった場合は、その転送要求に応えて転送しようとする画像情報の情報量が大きい場合は、画像情報の転送を中止することができる。
したがって、外出先ファクシミリ装置６１において画像情報の受信を開始してしまってから、情報量の多さに気付いたり、通信時間が長くなって通信費が高くなってしまうという問題を解決することができる。
【００３６】
次に、本発明第４実施形態のファクシミリ装置について図７を参照して説明する。
本第４実施形態のファクシミリ装置は、画像情報の送信要求を行ってきた外出先ファクシミリ装置が、転送先として登録されているものであり、かつ、転送する情報量が所定の情報量を超えていない場合に限って、画像情報を外出先ファクシミリ装置へ転送することができることを特徴とする。
図７は、本第４実施形態のファクシミリ装置に備えられたＣＰＵが実行する転送制御の一部を省略して示すフローチャートである。
なお、本第４実施形態のファクシミリ装置の構成は、図７に示す転送制御の一部を除いて前述の第１実施形態のファクシミリ装置１と同じであるため、同じ部分の説明を省略する。
【００３７】
ファクシミリ装置１は、受信した外出先ＦＡＸ番号を液晶表示装置７の液晶表示部７１に表示すると（ステップ３８）、その表示した外出先ＦＡＸ番号と一致する転送先ＦＡＸ番号が、ＲＡＭ４４の第２の記憶領域４４ｂに登録されているか否かを判定し（ステップ４０）、登録されていると判定した場合は（ステップ４０：Ｙｅｓ）、さらに、外出先ファクシミリ装置６１へ転送しようとしている画像情報の情報量Ｍが、情報量Ｍ１を超えているか否かを判定する（ステップ４２）。
そして、ファクシミリ装置１は、ＲＡＭ４４に記憶されている情報の情報量Ｍが、情報量Ｍ１を超えていないと判定した場合は（ステップ４２：Ｎｏ）、受付音を外出先ファクシミリ装置６１へ送出する（ステップ４４）。
また、ファクシミリ装置１は、外出先ＦＡＸ番号と一致する転送先ＦＡＸ番号が登録されていないと判定した場合（ステップ４０：Ｎｏ）、あるいは、転送しようとしている画像情報の情報量Ｍが、情報量Ｍ１を超えていると判定した場合は（ステップ４２：Ｙｅｓ）、回線の開放を行い、転送制御を終了する。
【００３８】
以上のように、第４実施形態のファクシミリ装置１を用いれば、画像情報を不特定のものに転送してしまう事態をなくすことができるとともに、転送する画像情報の情報量が多いことにより、通信費が高くなってしまうなどの問題を解決することができる。
【００３９】
また、上記第２および第４実施形態では、外出先ＦＡＸ番号と一致するＦＡＸ番号が登録されている場合は、画像情報を外出先ファクシミリ装置６１へ転送する構成を用いたが、外出先ファクシミリ装置６１から外出先ＦＡＸ番号とともに、暗唱番号をファクシミリ装置１へ送信する構成を採用し、外出先ＦＡＸ番号と一致するＦＡＸ番号が登録されているか否かの判定の前後に、上記送信された暗唱番号が予め登録されている暗唱番号と一致するか否かの判定を行うように構成し、外出先ＦＡＸ番号と一致するＦＡＸ番号が登録されており、かつ、暗唱番号が一致する場合に限り、画像情報を転送するように構成することもできる。
この構成を採用すれば、登録されている転送先ＦＡＸ番号を他人に知られた場合でも、その他人に画像情報を転送しないようにすることができる。
【００４０】
さらに、ファクシミリ装置１が、画像情報を外出先ファクシミリ装置６１へ転送できないと判定した場合に、受付音の送出に代えて、「転送することができません。」などの音声を送出するように構成することもできる。
また、上記各実施形態では、外出先ファクシミリ装置６１との回線を開放した後に、画像情報を転送する構成を用いたが、回線を閉結した状態で画像情報を転送する構成を用いることもできる。
さらに、上記各実施形態では、外出先ファクシミリ装置６１からファクシミリ装置１を発呼する構成を説明したが、外出先電話機６２の電話番号を外出先ファクシミリ装置６１のＦＡＸ番号として共通になっている場合は、外出先電話機６２からファクシミリ装置１を発呼し、受付音を聞いてから回線を外出先ファクシミリ装置６１に切り替えて、画像情報を受信することもできる。
【００４１】
また、上記実施形態では、図４ないし図７に示す転送制御をファクシミリ装置１に内蔵されたＣＰＵ４０に実行させる構成を用いたが、その転送制御を実行するためのコンピュータプログラムが格納されたＣＤ−ＲＯＭやＦＤなどをＰＣ６４（図１）でドライブし、上記コンピュータプログラムをＨＤＤ（Ｈａｒｄ  Ｄｉｓｋ  Ｄｒｉｖｅ）６４ｂにインストールすることによって、上記転送制御をＰＣ６４のＣＰＵ６４ａによって行うこともできる。この場合、上記ＣＤ−ＲＯＭやＦＤなどが、請求項６に記載の記憶媒体として機能する。
さらに、上記実施形態では、画像情報をＲＡＭ４４に記憶する構成を用いたが、ＰＣ６４のＨＤＤ６４ｂに記憶する構成を用いることもできる。
さらに、本発明の通信装置として、上記各実施形態では、ファクシミリ装置を代表に説明したが、本発明は、いわゆる留守録機能を有する電話機、あるいは、通信モデムを備えたＰＣなどの他の通信装置にも適用することができる。
【００４２】
ところで、ＣＰＵ４０によって実行されるステップ３４が、本発明の検出手段として機能し、ステップ５４が送信手段として機能する。また、ＣＰＵ４０によって実行されるステップ４０が判定手段として機能し、ステップ４６が通信遮断手段として機能する。さらに、ＣＰＵ４０によって実行されるステップ４２が情報量判定手段として機能し、ステップ３８が要求側特定情報表示手段として機能する。
【００４３】
【発明の効果】
以上のように、請求項１ないし請求項６に記載の発明によれば、情報記憶手段に記憶された情報の送信を要求する不特定の要求側からの発呼により、回線を閉結し、その要求側から送信された、情報の転送要求を示す転送要求信号および要求側のＦＡＸ番号を検出する検出手段と、その検出手段によって転送要求信号および要求側のＦＡＸ番号が検出された場合に、通信遮断手段によって要求側との通信が遮断された後に、その検出手段によって検出された要求側のＦＡＸ番号に基づいて、その要求側のＦＡＸ番号によって特定される要求側を発呼し、要求側へ上記情報記憶手段に記憶されている情報を要求側へ送信する送信手段とを備えるため、従来のように、外出先（要求側）のＦＡＸ番号を自宅のファクシミリ装置（通信装置）に登録しておく必要がないし、外出先が不特定の場合であっても、その外出先のファクシミリ装置に自局のＦＡＸ番号を送信する機能が備わっていれば、自宅のファクシミリ装置に記憶されているファクシミリデータを外出先のファクシミリ装置へ転送させることができる。
しかも、要求側との通信が遮断された後に要求側を発呼して情報の送信を行うことができるため、要求側に通信費がかかることがない。
【００４４】
特に、請求項２に記載の発明によれば、要求側のＦＡＸ番号を記憶する要求側ＦＡＸ番号記憶手段と、上記検出手段によって検出された要求側のＦＡＸ番号に対応する要求側ＦＡＸ番号が上記要求側ＦＡＸ番号記憶手段に記憶されているか否かを判定する判定手段と、この判定手段により、上記検出手段によって検出された要求側のＦＡＸ番号に対応する要求側ＦＡＸ番号が上記要求側ＦＡＸ番号記憶手段に記憶されていると判定された場合は、通信遮断手段によって上記要求側との通信が遮断された後に、上記検出手段によって検出された要求側のＦＡＸ番号に基づいて、その要求のＦＡＸ番号によって特定される要求側を発呼し、その発呼した要求側へ上記情報記憶手段に記憶されている情報を送信し、検出手段によって検出された要求側のＦＡＸ番号に対応する要求側ＦＡＸ番号が要求側ＦＡＸ番号記憶手段に記憶されていないと判定された場合は、情報の送信を行わない送信手段とを備えるため、要求側から送信された要求側のＦＡＸ番号が、要求側ＦＡＸ番号記憶手段に記憶されているものである場合に限って情報を要求側へ送信することができる。
したがって、不特定のものから送信要求のあった場合に情報を送信してしまうという事態をなくすことができる。
【００４５】
また、請求項３に記載の発明によれば、要求側から転送要求信号を受信した場合に、その転送要求信号に応じて送信すべき情報の情報量が、所定の情報量を超えているか否かを判定する情報量判定手段と、この情報量判定手段により、上記送信要求に応じて送信すべき情報の情報量が所定の情報量を超えていないと判定された場合は、通信遮断手段によって要求側との通信が遮断された後に、上記検出手段によって検出された要求側のＦＡＸ番号に基づいて発呼し、その要求側のＦＡＸ番号によって特定される要求側へ、上記情報記憶手段に記憶されている情報を送信し、転送要求信号に応じて送信すべき情報の情報量が所定の情報量を超えていると判定された場合は、情報の送信を行わない送信手段とを備えるため、要求側において情報の受信を開始してしまってから、情報量の多さに気付いたり、通信時間が長くなって通信費が高くなってしまうという問題を解決することができる。
【００４６】
さらに、請求項４に記載の発明によれば、上記判定手段によって、要求側から送信されてきた要求側のＦＡＸ番号が、要求側ＦＡＸ番号記憶手段に記憶されており、かつ、要求側へ送信すべき情報の情報量が所定の情報量を超えていない場合に限って、情報を要求側へ送信し、要求側のＦＡＸ番号が要求側ＦＡＸ番号記憶手段に記憶されていない場合、あるいは、要求側へ送信すべき情報の情報量が所定の情報量を超えている場合は、情報の送信を行わない送信手段を備えるため、情報を不特定のものに送信してしまう事態をなくすことができるとともに、送信する情報量が多いことにより、通信費が高くなってしまうなどの問題を解決することができる。
【００４７】
また、請求項５に記載の発明によれば、上記検出手段によって検出された要求側のＦＡＸ番号を表示する要求側ＦＡＸ番号表示手段を備えるため、その要求側ＦＡＸ番号表示手段によって表示された要求側のＦＡＸ番号を見ることにより、どの要求側から情報の送信要求があったかを知ることができる。
【００４８】
そして、請求項６に記載の発明によれば、不特定の要求側からの発呼により、回線を閉結し、情報の転送要求を示す転送要求信号および要求側のＦＡＸ番号を検出するための検出プログラムと、この検出プログラムによって転送要求信号および要求側のＦＡＸ番号が検出された場合に、通信が遮断プログラムによって要求側との通信が遮断された後に、検出プログラムによって検出された要求側のＦＡＸ番号に基づいて、その要求側のＦＡＸ番号によって特定される要求側を発呼し、その特定される要求側へ記憶手段に記憶されている情報を送信するための送信プログラムと、を含むコンピュータプログラムが格納された記憶媒体という構成であるため、その記憶媒体を通信装置内のＲＯＭとして設け、もしくは、その記憶媒体に格納されているコンピュータプログラムをコンピュータにインストールすることによって請求項１に記載の通信装置を実現することができる。
【００４９】
また、請求項１ないし請求項６に記載の発明は、請求項７に記載のように、上記要求側へ送信する情報が画像情報である場合に好適に採用される。
つまり、画像情報は、音声情報などと比較して情報量が多いため、その送信に要する時間が長いことから、通信費が高くなるという問題があり、そのために転送先から発呼して回線を接続した場合は、転送先に高い通信費がかかるという問題が生じるが、上記各技術的手段を用いることにより、通信費を情報を転送する側の負担とすることができる。
たとえば、データベースセンタへ接続し、ファクシミリにて情報を得るサービスなどでは、ファクシミリの通信時間よりも、むしろデータの検索時間の方が長くかかってしまう場合があり、このような場合は、検索結果が出るのを待っている時間が、通信費用として無駄に上乗せされることになる。
しかし、本発明を上記データベースセンタに適用することにより、検索を要求してきた側から検索キーワードを得た直後に一度回線を切断し、検索終了後に改めて電話をかけ直してデータを送信することができるため、データの要求側の通信費用を節約することが可能となる。
【図面の簡単な説明】
【図１】  本発明実施形態のファクシミリ装置の主な制御系をブロックで示す説明図である。
【図２】  図１に示すファクシミリ装置に備えられた液晶表示装置の構成を示す説明図である。
【図３】  画像情報を転送する側であるファクシミリ装置１と、転送先である外出先ファクシミリ装置６１との間で行われる通信手順を示す説明図である。
【図４】  ファクシミリ装置１に内蔵されたＣＰＵ４０によって実行される転送制御の内容および外出先ファクシミリ装置６１によって実行される転送要求制御の内容を示すフローチャートである。
【図５】  本発明第２実施形態のファクシミリ装置に内蔵されたＣＰＵ４０によって実行される転送制御の内容を一部を省略して示すフローチャートである。
【図６】  本発明第３実施形態のファクシミリ装置に内蔵されたＣＰＵ４０によって実行される転送制御の内容を一部を省略して示すフローチャートである。
【図７】  本発明第４実施形態のファクシミリ装置に内蔵されたＣＰＵ４０によって実行される転送制御の内容を一部を省略して示すフローチャートである。
【符号の説明】
１    ファクシミリ装置
４０    ＣＰＵ
４４    ＲＡＭ
４４ａ  第１の記憶領域（情報記憶手段）
４４ｂ  第２の記憶領域（要求側ＦＡＸ番号記憶手段）
６０    通信用モデム
６１    外出先ファクシミリ装置（要求側）
【図１】
0003864552.tif 000002
【図２】
0003864552.tif 000003
【図３】
0003864552.tif 000004
【図４】
0003864552.tif 000005
【図５】
0003864552.tif 000006
【図６】
0003864552.tif 000007
【図７】
0003864552.tif 000008